(57)【要約】【課題】アームレスト内に回動可能に収容される収容物と、アームレスト内に収容される配線との干渉を避けつつ、アームレストの大型化を抑えることができる椅子を提供する。【解決手段】本発明の一態様に係る椅子１００は、座部１０における幅方向の側方に設けられた箱型のアームレスト３０と、アームレスト３０の内部に収容されるテーブル４０と、アームレスト３０の内部において、テーブル４０の上方、かつ前方に設けられたテーブル支持部４１と、アームレスト３０の内部において、テーブル支持部４１よりも下方、かつ不使用状態のテーブル４０よりも前方に設けられた配線接続部材５０と、を備え、アームレスト３０の内部において、テーブル支持部４１の下方、かつ不使用状態のテーブル４０よりも前方には、配線接続部材５０に接続される電源配線２００が挿通される配線挿通部６０が形成されている。【選択図】図６
2019209757.tif 000002
【特許請求の範囲】
【請求項１】
上方を向く着座面を有する座部と、
前記座部における幅方向の側方に設けられた箱型の側方部材と、
使用面を幅方向の側方に向けた状態で前記側方部材の内部に収容される板状の収容物と、
前記側方部材の内部において、前記収容物の上方、かつ前方に設けられるとともに、前記収容物が前記側方部材の内部に収容された不使用状態、及び前記収容物が前記側方部材の上方に突出した使用状態の間を、前記使用面に沿った面内で前記収容物を上下動可能に支持する収容物支持部と、
前記側方部材の内部において、前記収容物支持部よりも下方、かつ前記不使用状態の前記収容物よりも前方に設けられた配線接続部材と、を備え、
前記側方部材の内部において、前記収容物支持部の下方、かつ前記不使用状態の前記収容物よりも前方には、前記配線接続部材に接続される配線が挿通される配線挿通部が形成されている、
椅子。
【請求項２】
前記収容物支持部は、前記収容物を幅方向に沿う軸線周りに回動可能に支持し、
前記アームレスト内には、前記不使用状態の前記収容物の前方への回動を規制するストッパが設けられ、
前記配線挿通部は、前記ストッパよりも前方に形成されている、
請求項１に記載の椅子。
【請求項３】
前記配線接続部材は、前記側方部材の前面に露出するプラグ接続部を有している、
請求項１または請求項２に記載の椅子。
【請求項４】
前記側方部材の前面は、前記座部の前端部よりも後方に配置されている、
請求項３に記載の椅子。
【発明の詳細な説明】
【技術分野】
【０００１】
本発明は、椅子に関する。
【背景技術】
【０００２】
特許文献１には、椅子のアームレスト内に収容された収容物（ＴＶモニタ）と、アームレストの前部の上面に配置されたコントロールパネルと、を備える構成が開示されている。
このような構成において、アームレスト内には、収容物の前側上端部を回動可能に支持する回動機構が設けられている。収容物は、回動機構を中心として回動し、アームレストから上方に引き出される。
【先行技術文献】
【特許文献】
【０００３】
【特許文献１】特開２００１−１３８９９８号公報
【発明の概要】
【発明が解決しようとする課題】
【０００４】
ところで、特許文献１に開示されたような構成において、アームレストの内部には、アームレストの前部の上面に設けられたコントロールパネルに接続される配線が収容されている。
しかし、上述したように、アームレスト内には、収容物を回動自在に支持する回動機構も設けられている。コントロールパネルに接続される配線と回動機構との干渉を避けるには、アームレストが大型化してしまう。このため、乗員の座席スペースの前後方向の大きさが限られる場合、アームレスト内における配線の収容スペースの確保が難しい。
【０００５】
これに対し、コントロールパネル及び配線を、収容物の後方に配置することも考えられる。しかし、この場合、コントロールパネル及び配線は、回動機構を中心とした収容物の回転軌跡よりも径方向の外側に配置する必要がある。この場合においても、アームレストが大型化してしまう。
【０００６】
本発明は、アームレスト（側方部材）内に回動可能に収容される収容物と、アームレスト内に収容される配線との干渉を避けつつ、アームレストの大型化を抑えることができる椅子を提供することを目的とする。
【課題を解決するための手段】
【０００７】
上記目的を達成するために、本発明の一態様に係る椅子は、上方を向く着座面を有する座部と、前記座部における幅方向の側方に設けられた箱型の側方部材と、使用面を幅方向の側方に向けた状態で前記側方部材の内部に収容される板状の収容物と、前記側方部材の内部において、前記収容物の上方、かつ前方に設けられるとともに、前記収容物が前記側方部材の内部に収容された不使用状態、及び前記収容物が前記側方部材の上方に突出した使用状態の間を、前記使用面に沿った面内で前記収容物を上下動可能に支持する収容物支持部と、前記側方部材の内部において、前記収容物支持部よりも下方、かつ前記不使用状態の前記収容物よりも前方に設けられた配線接続部材と、を備え、前記側方部材の内部において、前記収容物支持部の下方、かつ前記不使用状態の前記収容物よりも前方には、前記配線接続部材に接続される配線が挿通される配線挿通部が形成されている。
【０００８】
本態様によれば、側方部材の内部において、配線と収容物支持部との干渉を抑えつつ、配線、収容物支持部、収容物を配置することができる。
また、配線挿通部に挿通される配線が、収容物支持部を起点とした収容物の移動軌跡と干渉することも抑えることができる。したがって、側方部材内に上下動可能に収容される収容物と、側方部材内に収容される配線と、の干渉を避けつつ、側方部材の大型化を抑えることができる。
【０００９】
本発明の一態様に係る椅子において、前記収容物支持部は、前記収容物を幅方向に沿う軸線周りに回動可能に支持し、前記アームレスト内には、前記不使用状態の前記収容物の前方への回動を規制するストッパが設けられ、前記配線挿通部は、前記ストッパよりも前方に形成されていてもよい。
この構成によれば、側方部材の内部において、収容物と配線との干渉を確実に抑えることができる。
【００１０】
本発明の一態様に係る椅子において、前記配線接続部材は、前記側方部材の前面に露出するプラグ接続部を有していてもよい。
この構成によれば、収容物が不使用状態から使用状態に移行する際に上方に移動するのに対し、プラグ接続部に接続されるコネクタはプラグ接続部を介して前方からアクセスされる。そのため、例えばプラグ接続部を側方部材の上面に設ける場合に比較し、側方部材の大型化を抑えた上で、収容物と配線との干渉を確実に抑えることができる。
【００１１】
本発明の一態様に係る椅子において、前記側方部材の前面は、前記座部の前端部よりも後方に配置されていてもよい。
この構成によれば、プラグ接続部に接続されたコネクタやコネクタ配線等が、座部の前端部よりも前方に突出するのを抑えることができる。したがって、側方部材の前方を通行する場合に、コネクタやコネクタ配線が通行者等の邪魔になるのを抑えることができる。
【発明の効果】
【００１２】
本発明の一態様によれば、側方部材内に回動可能に収容される収容物と、側方部材内に収容される配線と、の干渉を避けつつ、側方部材の大型化を抑えることができる。
【図面の簡単な説明】
【００１３】
【図１】実施形態に係る椅子ユニットの全体構成を示す斜視図である。
【図２】実施形態に係る椅子ユニットを後方から見た図である。
【図３】実施形態に係る椅子のフレームの構成を主に示す斜視図である。
【図４】実施形態に係る椅子の座部を斜め下方から見た斜視図である。
【図５】実施形態に係る椅子のアームレストを示す斜視図である。
【図６】実施形態に係るアームレストの内部構成を示す斜視図である。
【図７】実施形態に係るアームレストの内部構成を示す側面図である。
【図８】図７のＶＩＩＩ−ＶＩＩＩ線に相当する断面図である。
【発明を実施するための形態】
【００１４】
以下、本発明の一実施形態に係る椅子について図面を参照して説明する。
以下の説明において、便宜上、椅子１００の着座者が前を向く方向を「前方」、その反対方向を「後方」と称する。また、椅子１００の着座者の左右方向を幅方向と称する。さらに、椅子１００を設置する床面Ｆに直交する方向を上下方向と称する。なお、図中適所には、椅子１００の幅方向を示す矢印Ｘ、椅子１００の前後方向を示す矢印Ｙ、椅子１００の上下方向を示す矢印Ｚが示されている。
【００１５】
［椅子ユニット］
図１は、実施形態に係る椅子ユニット１の全体構成を示す斜視図である。図２は、椅子ユニット１を後方から見た図である。
図１、図２に示すように、椅子ユニット１は、例えば鉄道車両等に搭載される。椅子ユニット１は、幅方向に並設された２つの椅子１００を備える。なお、椅子ユニット１を構成する椅子１００は、２つに限られない。また、椅子ユニット１の設置場所は鉄道車両以外の乗物でもよく、劇場や講堂、ホール等であってもよい。
【００１６】
図２に示すように、各椅子ユニット１は、床面Ｆ上に設けられた回転基台２上に設けられている。回転基台２は、床面Ｆに固定された固定ベース２ａと、固定ベース２ａに対して上下方向に沿う軸線Ｃ周りに回動可能に設けられた回転ベース２ｂと、を備えている。椅子ユニット１は、回転ベース２ｂ上に取り付けられている。椅子ユニット１は、軸線Ｃ周りに回転ベース２ｂと一体で回動可能に構成されている。
【００１７】
回転ベース２ｂは、軸線Ｃに対する径方向（図示の例では幅方向）に延びるロックピン３によって、固定ベース２ａに対する軸線Ｃ周りの回動が拘束可能となっている。ロックピン３は、後述するロック解除レバー７０（図１参照）によって、径方向に進退操作される。回転ベース２ｂは、ロック解除レバー７０によって、ロックピン３が固定ベース２ａから引き抜かれると、軸線Ｃ周りの回動が可能となる。なお、本実施形態では、椅子１００を、回転基台２上に設けるようにしたが、これに限らない。椅子１００は、床面Ｆ上に設けられた基台に固定されるようにしてもよい。
【００１８】
椅子ユニット１を構成する２つの椅子１００は、幅方向において対称な構成を有している。したがって、以下においては、幅方向の一方側（左側）の椅子１００のみを図示し、その説明を行う。
図１に示すように、椅子１００は、座部１０と、背凭れ２０と、アームレスト（側方部材）３０と、を備えている。
【００１９】
＜座部＞
図３は、椅子１００のフレームの構成を主に示す斜視図である。図４は、椅子１００の座部１０を斜め下方から見た斜視図である。
図１、図３、図４に示すように、座部１０は、座部フレーム１１（図３、図４参照）と、座枠１２（図３、図４参照）と、座部クッション１３（図１参照）と、を備えている。
【００２０】
図３、図４に示すように、座部フレーム１１は、例えば金属製で枠型に形成されている。具体的に、座部フレーム１１は、前後方向に間隔をあけて設けられた前部フレーム１１ｆ及び後部フレーム１１ｒと、前部フレーム１１ｆ及び後部フレーム１１ｒ間を架け渡す中間フレーム１１ｃと、を有する。
前部フレーム１１ｆ及び後部フレーム１１ｒは、それぞれ幅方向に延びている。
中間フレーム１１ｃは、幅方向に間隔をあけて２本設けられている。各中間フレーム１１ｃの前端部は、前部フレーム１１ｆに溶接等によって各別に固定されている。各中間フレーム１１ｃの後端部は、後部フレーム１１ｒに溶接等によって各別に固定されている。
【００２１】
図３に示すように、座枠１２は、例えば金属製で枠型に形成されている。具体的に、座枠１２は、前部フレーム１１ｆ上に固定された前枠１２ｆと、前枠１２ｆにおける幅方向の両端部から後方に向けて延びる一対の側枠１２ｓと、一対の側枠１２ｓの後端部同士を連結する後枠１２ｒと、を備えている。後枠１２ｒは、上述した後部フレーム１１ｒ上に設けられたブラケット１１ｂ上に固定されている。
【００２２】
図１に示すように、座部クッション１３は、座枠１２（図３参照）上に、座枠１２を覆うように設けられている。座部クッション１３は、弾性を有したクッション材（図示無し）と、クッション材を覆うカバー材１３ｃと、を備えている。座部クッション１３の上面は、着座者が着座する着座面１４を構成している。
【００２３】
＜背凭れ＞
図１、図３に示すように、背凭れ２０は、座部１０の後端部から上方に起立している。背凭れ２０は、背部フレーム２１と、バックパネル２２と、背受けパネル２３と、背部クッション２４（図１参照）と、を備えている。
【００２４】
図３に示すように、背部フレーム２１は、例えば金属製である。背部フレーム２１は、幅方向の両側に設けられた一対の縦枠２１ｖと、一対の縦枠２１ｖの上端部同士を連結する上枠２１ｕと、を備えている。一対の縦枠２１ｖは、上述した後部フレーム１１ｒの幅方向の両端部から上方に延びる支柱１５に、支軸部１６を介してそれぞれ支持されている。支軸部１６は、幅方向に沿う水平軸周りに縦枠２１ｖを回動自在に支持する。これにより、背部フレーム２１は、前後方向に傾動可能となっている。
【００２５】
背部フレーム２１には、上下方向に間隔をあけて、複数本の横帯材２５が設けられている。横帯材２５は、幅方向の両端部が一対の縦枠２１ｖに溶接等により固定されている。
【００２６】
バックパネル２２は、背部フレーム２１を後方から覆うように配置されている。バックパネル２２は、樹脂系材料等により形成されている。バックパネル２２は、ビス等によって背部フレーム２１に固定されている。
【００２７】
背受けパネル２３は、背部フレーム２１に対して前方に配置されている。背受けパネル２３は、背部フレーム２１の下半部に設けられている。背受けパネル２３は、樹脂系材料等により形成されている。背受けパネル２３は、上述した横帯材２５にビス等により固定されている。背受けパネル２３は、背部クッション２４を介して伝わる着座者の背中及び腰からの荷重を支持する。
【００２８】
図１に示すように、背部クッション２４は、背部フレーム２１及び背受けパネル２３（図３参照）を前方から覆うように設けられている。背部クッション２４は、弾性を有したクッション材（図示無し）と、クッション材を覆うカバー材２４ｃと、を備えている。背部クッション２４の前面は、着座者の背中を支持する背凭れ面２６を構成している。
【００２９】
＜物品収容部材＞
図２、図４に示すように、背凭れ２０の後方を向く背面２０ｒには、物品収容部材８０が設けられている。物品収容部材８０は、ベースパネル８１と、上側支持部８２と、下側支持部８３と、を備えている。
【００３０】
ベースパネル８１は、バックパネル２２の下半部に形成された開口部（図示無し）を後方から覆うように設けられている。ベースパネル８１は、前後方向から見て矩形状をなしている。ベースパネル８１の外周部には、バックパネル２２のうち開口部（図示無し）の外側部分に突き当たる縁部８１ａが形成されている。ベースパネル８１は、複数のビス等により、背部フレーム２１（図３参照）に固定されている。
【００３１】
図３に示すように、ベースパネル８１の上端部には、一対の爪部８１ｋが設けられている。各爪部８１ｋは、前方かつ上方に向かって突出している。各爪部８１ｋは、背部フレーム２１よりも前方に突出して、背受けパネル２３の上端部に係止されている。これにより、ベースパネル８１の上端部は、背受けパネル２３に対する後方への変位が拘束されている。
【００３２】
図４に示すように、ベースパネル８１には、前方に向かって窪む凹面（右側凹面８１ｄ及び左側凹面８１ｅ）が形成されている。ベースパネル８１において、凹面８１ｄ，８１ｅにおける幅方向の両側に位置する部分には、上下方向に延び、後方に隆起したリブ（右側リブ８１ｒ、中央リブ８１ｓ及び左側リブ８１ｔ）が形成されている。右側リブ８１ｒは、右側凹面８１ｄに対して右側に位置している。中央リブ８１ｓは、凹面８１ｄ，８１ｅの間を仕切っている。左側リブ８１ｔは、左側凹面８１ｅに対して左側に位置している。
【００３３】
リブ８１ｒ，８１ｓは、右側凹面８１ｄと上側支持部８２との間に収容される物品が幅方向に移動するのを抑える。
リブ８１ｓ，８１ｔは、左側凹面８１ｅと上側支持部８２との間に収容される物品が幅方向に移動するのを抑える。なお、リブ８１ｒ，８１ｓ，８１ｔは、ベースパネル８１の補強要素としても機能する。
【００３４】
上側支持部８２は、ベースパネル８１における上下方向の中間部に設けられている。上側支持部８２は、幅方向に延び、上下方向に所定寸法の高さを有している。上側支持部８２は、帯状部８２ａと、湾曲部８２ｂと、を有する。
【００３５】
帯状部８２ａは、上述したリブ８１ｒ，８１ｓ間で、凹面８１ｄと平行に延びている。帯状部８２ａには、リブ８１ｒ，８１ｓに沿って上方に所定長延びるガイド部材８２ｇが一体に形成されている。ガイド部材８２ｇは、上下方向から見た断面形状が略Ｌ字状で、凹面８１ｄに対して前後方向に間隔をあけて設けられている。ガイド部材８２ｇは、凹面８１ｄと平行な後壁部８２ｈを有する。
【００３６】
湾曲部８２ｄは、リブ８１ｓ，８１ｔ間で、後方に向かって膨出するように、上下方向から見て円弧状に湾曲している。湾曲部８２ｄの下端部には、湾曲部８２ｄの下端開口を横断するボトル受け８２ｃが一体に形成されている。
【００３７】
下側支持部８３は、ベースパネル８１の下端部に設けられている。下側支持部８３は、幅方向に延び、上下方向に所定寸法の高さを有した帯状に形成されている。
【００３８】
＜アームレスト＞
図１に示すように、アームレスト３０は、座部１０の左側に設けられている。すなわち、本実施形態では、一方の座部１０に対して左側に設けられたアームレスト３０が第１側方部材を構成し、他方の座部１０に対して右側に設けられたアームレスト３０が第２側方部材を構成する。このように、本実施形態のアームレスト３０は、椅子ユニット１における幅方向の両端部に位置しており、椅子１００同士の間には設けられていない。
【００３９】
図５は、椅子１００のアームレスト３０を示す斜視図である。
図３、図５に示すように、アームレスト３０は、幅方向から見た側面視での外周形状が多角形状（本実施形態では下方に先細る台形状）とされた中空箱状に形成されている。すなわち、アームレスト３０は、座部１０に対して幅方向の外側を遮蔽している。アームレスト３０は、アームレスト本体３１と、アウターカバー（図５参照）３２と、インナーカバー３３（図３参照）と、トップカバー３４と、を備えている。
【００４０】
アームレスト本体３１は、幅方向に開口する開口部（左側開口部３１ｐ及び右側開口部３１ｑ）を有する枠型に形成されている。アームレスト本体３１の下端部は、座部フレーム１１に設けられた取付ブラケット１８に、複数本のボルト等によって固定されている。アームレスト本体３１の上面には、上方に向かって開口する上側開口部３１ｋ（図７参照）を有している。
【００４１】
アウターカバー３２は、アームレスト３０の左側開口部３１ｐを塞いでいる。図３に示すように、インナーカバー３３は、アームレスト３０の右側開口部３１ｑを塞いでいる。
【００４２】
トップカバー３４は、アーム本体３１の上側開口部３１ｋを塞いでいる。トップカバー３４の上面は、上方を向く肘載せ面を構成している。トップカバー３４の左側端部は、前後方向に沿う軸線回りにアームレスト本体３１に回動自在に連結されている。これにより、トップカバー３４は、アームレスト３０の上面に配置されて上側開口部３１ｋを塞ぐ状態と、アームレスト本体３１の右側端部から起立して、上側開口部３１ｋを開放した状態と、の間で開閉動作可能となっている。
【００４３】
図６は、アームレスト３０の内部構成を示す斜視図である。図７は、アームレスト３０の内部構成を示す側面図である。
図６、図７に示すように、アームレスト３０の内部（アームレスト本体３１、アウターカバー３２及びインナーカバー３３で囲まれた内部空間）には、折り畳み式のテーブル４０が収容されている。テーブル４０は、板状で、テーブル支持部４１を介して、アームレスト本体３１に連結されている。
【００４４】
テーブル支持部４１は、アームレスト３０の内部において、座部１０の前後方向の中間部よりも前方に配置されている。本実施形態において、テーブル支持部４１は、アームレスト３０の内部において、前側上端部に配置されている。テーブル支持部４１は、テーブル４０がアームレスト３０の上側開口部３１ｋから引き出された使用状態と、アームレスト３０の内部に収容された不使用状態と、の間でテーブル４０を変位可能に支持する。テーブル４０は、使用状態において、使用面４０ｆが上方を向いた状態で、座部１０の上方で保持される。テーブル４０は、不使用状態において、使用面４０ｆが左側を向いた状態で、アームレスト３０の内部に収容される。
【００４５】
図７に示すように、テーブル支持部４１は、不使用状態におけるテーブル４０の前側上端部に位置する角部４０ｃに連結されている。テーブル支持部４１は、アームレスト本体３１に設けられて幅方向に沿う支軸３８周りに回動可能に設けられている。テーブル支持部４１は、テーブル４０の角部４０ｃを、概ね前後方向に延びる回動軸４１ｓ周りに回動可能に支持する。これにより、アームレスト３０に収容されたテーブル４０は、使用面４０ｆに沿った面内（幅方向に直交する面内）で回動可能となるよう支持されている。
【００４６】
アームレスト本体３１には、ストッパ４３が設けられている。ストッパ４３は、アームレスト３０内における前側下端部に位置している。ストッパ４３は、アームレスト本体３１に固定されたベース部４３ａと、ベース部４３ａから後方に延び、テーブル４０の外周端部に突き当たる突き当たり部４３ｂと、を有している。ストッパ４３は、不使用状態にあるテーブル４０の前方への回動範囲を規制する。
【００４７】
図６に示すように、アームレスト３０の内部において、テーブル４０に対して幅方向の両側には、サポートプレート４４が設けられている（図６には、テーブル４０に対して左側のサポートプレート４４のみを図示）。サポートプレート４４は、アウターカバー３２及びインナーカバー３３にそれぞれ固定されている。アウターカバー３２に設けられたサポートプレート４４は、左側開口部３１ｐを通じてアームレスト本体３１の内側に突出している。インナーカバー３３に設けられたサポートプレート４４は、右側開口部３１ｑを通じてアームレスト本体３１の内側に突出している。各サポートプレート４４は、アームレスト３０の内部において、不使用状態のテーブル４０を幅方向で挟持する。これにより、アームレスト３０の内部において、テーブル４０の幅方向の移動を規制し、テーブル４０が安定して保持される。
【００４８】
テーブル４０を不使用状態から使用状態に移行させるには、まずトップカバー３４を回動させて上側開口部３１ｋを開放させる。その後、テーブル４０を上方に持ち上げると、テーブル４０が使用面４０ｆの面内を支軸３８周りの上方に向けて回動する。これにより、テーブル４０は、支軸３８の周囲を下方から後方に回り込むように回動した後、アームレスト３０の上側開口部３１ｋから上方に引き出される。その後、テーブル支持部４１がアームレスト３０の上面に突き当たることで、テーブル４０の支軸３８周りの回動が規制される。この状態で、テーブル４０を右側に倒すと、テーブル４０が回動軸４１ｓ周りに回動し、座部１０の前部（着座者の下肢）を上方から覆うように配置される。これにより、テーブル４０は、使用面４０ｆが上方を向いた使用状態となる。なお、上記とは逆の手順を経ることで、テーブル４０を使用状態から不使用状態に移行させることができる。
【００４９】
＜配線接続部材＞
図６、図７に示すように、アームレスト３０は、各種の電子機器等のコネクタ９０が着脱可能に接続される配線接続部材５０を備えている。配線接続部材５０は、テーブル支持部４１よりも下方（アームレスト３０の上端よりも下方）、かつ不使用状態のテーブル４０よりも前方に設けられている。  配線接続部材５０は、コネクタ９０が接続されるプラグ接続部５１と、電源配線２００が接続される電源接続部５２と、プラグ接続部５１及び電源接続部５２間を接続するリード線５３と、を備えている。
【００５０】
プラグ接続部５１、電源接続部５２及びリード線５３は、アームレスト３０内に収容されている。プラグ接続部５１は、アームレスト本体３１の前面３１ｆに形成された前側開口部３１ｒ（図７参照）に嵌め込まれている。プラグ接続部５１の前端部は、前側開口部３１ｒを通してアームレスト本体３１の前面３１ｆに露出している。プラグ接続部５１の前面には、コネクタ９０が接続される配線接続部５４が形成されている。本実施形態のプラグ接続部５１は、長手方向を上下方向としてアームレスト本体３１に設けられている。但し、プラグ接続部５１は、長手方向を幅方向としてアームレスト本体３１に設けられていてもよい。なお、プラグ接続部５１（配線接続部５４）に接続されるコネクタ９０は、コンセントプラグであってもよく、光コネクタやＵＳＢ（Ｕｎｉｖｅｒｓａｌ  Ｓｅｒｉａｌ  Ｂｕs）コネクタ等であってもよい。
【００５１】
ここで、アームレスト本体３１の前面３１ｆは、上方から下方に向かって後方に傾斜した傾斜面３５により形成されている。本実施形態において、アームレスト本体３１の前面３１ｆは、上下方向の全体に亘って傾斜角度が一様な傾斜面３５とされている。すなわち、プラグ接続部５１は、傾斜面３５上において、配線接続部５４が前後方向に対して僅かに下方に向いた状態で設けられている。この場合、プラグ接続部５１は、アームレスト３０の上面の前端部３１ａよりも後方に位置する。本実施形態において、傾斜面３５は、アームレスト３０の上面に連なっている。したがって、アームレスト３０における前側上端部の角部は鋭角をなしている。なお、アームレスト本体３１の前面３１ｆは、少なくとも一部が傾斜面３５であってもよい。また、本実施形態において「傾斜面」は、下方に向かうに従い後方に延在していればよい。そのため、本実施形態の「傾斜面」は、幅方向から見た側面視で、直線状に限らず、湾曲状等も含む。
【００５２】
アームレスト本体３１の前面３１ｆ（傾斜面３５）において、前側開口部３１ｒの周囲に位置する部分は、最外面に対して後方に向けて窪む凹部３６が形成されている。本実施形態において、プラグ接続部５１の前面は、アームレスト本体３１の前面３１ｆ（傾斜面３５）において、最外面に対して面一又は後方に配置されている。但し、アームレスト本体３１の前面３１ｆ（傾斜面３５）は、凹部３６を有さない構成でもよい。
【００５３】
図７に示すように、アームレストの前面３１ｆ（傾斜面３５）は、座部１０の前端部１０ｇよりも後方に位置している。そのため、配線接続部５４に接続されたコネクタ９０のコネクタ配線９１が、座部１０の前端部１０ｇよりも前方に突出することが抑えられる。
また、本実施形態において、プラグ接続部５１は、座部１０の着座面１４に対して上方に位置している。
【００５４】
アームレスト３０の内部には、上述した電源配線２００が引き回される配線挿通部６０が形成されている。配線挿通部６０は、アームレスト３０の内部において、テーブル支持部４１よりも下方で、かつテーブル４０やストッパ４３よりも前方に画成されている。
【００５５】
図８は、図７のＶＩＩＩ−ＶＩＩＩ線に相当する断面図である。
図８に示すように、電源配線２００は、アームレスト３０内において、配線挿通部６０を通して、電源接続部５２から下方に案内された後、アームレスト本体３１に形成された切欠き部７５を通じて、アームレスト３０の外部（幅方向の内側）に引き出される。電源配線２００は、アームレスト３０の外部において、座部フレーム１１に沿って回転基台２に案内され、図示しない外部電源に接続される。なお、上述した切欠き部７５は、アームレスト本体３１の下部前端部において、幅方向の内側に向けて開口している。
【００５６】
＜ロック解除レバー＞
図５に示すように、アームレスト３０には、ロック解除レバー７０が設けられている。ロック解除レバー７０は、上述したロックピン３（図２参照）を径方向に進退移動させる。ロック解除レバー７０は、アームレスト３０の下端部に形成された収容凹部３９内に収容されている。収容凹部３９は、アームレスト３０の外面において、左側及び下方に開口している。
【００５７】
図７に示すように、ロック解除レバー７０の上端部は、前後方向に延びる回動軸７０ｓ周りに回動可能にアームレスト本体３１に支持されている。ロック解除レバー７０において、収容凹部３９からの露出面は、アームレスト３０左側面３０ｓに対して面一若しくは幅方向の内側に配置されていることが好ましい。
【００５８】
ロック解除レバー７０には、操作ケーブル７２の第１端部が連結されている。操作ケーブル７２の第２端部は、ロックピン３に連結されている。ロック解除レバー７０は、下端部を把持して引き起こすことで、回動軸７０ｓ周りの左側に回動する。すると、ロック解除レバー７０の変位が操作ケーブル７２を介してロックピン３に伝達され、ロックピン３が固定ベース２ａから引き抜かれる。その結果、上述したように回転基台２の回転ベース２ｂの拘束が解除され、椅子ユニット１を軸線Ｃ周りに回転させることができる。これにより、椅子ユニット１の前後方向の向きを変えることが可能となる。
【００５９】
このように、本実施形態では、アームレスト３０の内部において、テーブル支持部４１がテーブル４０の上方、かつ前方に設けられるとともに、テーブル支持部４１よりも下方で、かつ不使用状態のテーブル４０よりも前方に、配線接続部材５０に接続される電源配線２００が挿通される配線挿通部６０が形成されている構成とした。
この構成によれば、アームレスト３０の内部において、電源配線２００とテーブル支持部４１との干渉を抑えつつ、電源配線２００、テーブル支持部４１、テーブル４０を配置することができる。
また、配線挿通部６０に挿通される電源配線２００が、テーブル支持部４１を中心としたテーブル４０の回動軌跡と干渉することも抑えることができる。したがって、アームレスト３０内に回動可能に収容されるテーブル４０と、アームレスト３０内に収容される電源配線２００と、の干渉を避けつつ、アームレスト３０の大型化を抑えることができる。
【００６０】
本実施形態では、不使用状態のテーブル４０の前方への回動を規制するストッパ４３がアームレスト３０内に設けられ、配線挿通部６０がストッパ４３よりも前方に設けられている構成とした。
この構成によれば、アームレスト３０の内部において、テーブル４０と、電源配線２００と、の干渉を確実に抑えることができる。
【００６１】
本実施形態では、配線接続部材５０がアームレスト３０の前面３１ｆに露出するプラグ接続部５１を有している構成とした。
この構成によれば、テーブル４０が不使用状態から使用状態に移行する際に上方に移動するのに対し、コネクタ９０はプラグ接続部５１を介して前方からアクセスされる。そのため、例えばプラグ接続部５１をアームレスト３０の上面に設ける場合に比較し、アームレスト３０の大型化を抑えた上で、テーブル４０と電源配線２００との干渉を確実に抑えることができる。
また、プラグ接続部５１を前面３１ｆに設けることで、プラグ接続部５１に接続されたコネクタ９０や配線等が着座者の腕等と干渉するのを抑えることができる。さらに、プラグ接続部５１がアームレスト３０の前面３１ｆに設けられることで、アームレストの上面後部にプラグ接続部５１が設けられている場合に比べて、コネクタ９０を抜き差しする際に上体の捻り動作が少なくなる。そのため、コネクタ９０の抜き差し動作が簡単になり、コネクタ９０の抜き差し動作に伴う身体への負担を小さくできる。
また、アームレスト３０の前面３１ｆにプラグ接続部５１が設けられることで、第三者によるプラグ接続部５１へのアクセスを着座者が判断し易くなる。そのため、第三者による悪戯等を未然に抑制できる。
【００６２】
本実施形態では、アームレスト３０の前面３１ｆが、座部１０の前端部１０ｇよりも後方に配置されている構成とした。
この構成によれば、プラグ接続部５１に接続されたコネクタ９０やコネクタ配線９１等が、座部１０の前端部１０ｇよりも前方に突出するのを抑えることができる。したがって、アームレスト３０の前方を通行する場合に、コネクタ９０やコネクタ配線９１が通行者等の邪魔になるのを抑えることができる。
【００６３】
（その他の実施形態）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、アームレスト３０が椅子１００に対して幅方向の一方側のみに設けられた構成について説明したが、これに限らない。アームレスト３０は、椅子１００に対して幅方向の両側に設けられていてもよい。
【００６４】
上述した実施形態では、プラグ接続部５１が座部１０（着座面１４）よりも上方に位置する構成について説明したが、この構成のみに限られない。着座面１４に対するプラグ接続部５１の上下位置は、適宜変更が可能である。
上述した実施形態では、アームレスト３０の前面３１ｆにプラグ接続部５１が一つ配置された構成について説明したが、この構成のみに限らず、前面３１ｆに複数のプラグ接続部５１を配置してもよい。
【００６５】
上述した実施形態では、プラグ接続部５１を傾斜面３５に備えた側方部材として、中空のアームレスト３０を示したが、これに限らない。本発明に係る側方部材としては、中実構造のアームレストや、椅子１００の脚体等であってもよい。
【００６６】
上述した実施形態では、アームレスト３０の内部にストッパ４３が設けられた構成について説明したが、この構成のみに限られない。例えば、アームレスト３０の使用状態から不使用状態への移行をダンパ等により減衰させる構成としてもよい。
上述した実施形態では、プラグ接続部５１がアームレスト３０の前面３１ｆに設けられる構成としたが、この構成のみに限られない。プラグ接続部５１の位置は、テーブル４０の回動軌跡上に配線が配置されない場所であれば、アームレスト３０の上面等に設定する等、適宜変更が可能である。なお、プラグ接続部５１は、必ずしもアームレスト３０に設けなくてもよい。
上述した実施形態では、テーブル支持部４１がテーブル４０を回動可能に支持する構成について説明したが、この構成のみに限られない。テーブル支持部４１は、不使用状態から使用状態に移行する際にテーブル４０を上方に移動可能に支持していればよい。この場合、テーブル４０は、上下方向にスライド可能に構成されていてもよい。
上述した実施形態では、アームレスト３０内に収容される収容物としてテーブル４０を例にして説明したが、この構成のみに限られない。収容物としては、テーブル以外に例えばディスプレイやコントロールパネル等であってもよい。
【００６７】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６８】
１０  座部
１０ｇ  前端部
１４  着座面
３０  アームレスト
４０  テーブル（収容物）
４０ｆ  使用面
４１  テーブル支持部（収容物支持部）
４３  ストッパ
５０  配線接続部材
５４  配線接続部
６０  配線挿通部
１００  椅子
２００  電源配線（配線）
【図１】
2019209757.tif 000003
【図２】
2019209757.tif 000004
【図３】
2019209757.tif 000005
【図４】
2019209757.tif 000006
【図５】
2019209757.tif 000007
【図６】
2019209757.tif 000008
【図７】
2019209757.tif 000009
【図８】
2019209757.tif 000010
【手続補正書】
【提出日】平成30年11月12日(2018.11.12)
【手続補正１】
【補正対象書類名】明細書
【補正対象項目名】０００９
【補正方法】変更
【補正の内容】
【０００９】
本発明の一態様に係る椅子において、前記収容物支持部は、前記収容物を幅方向に沿う軸線周りに回動可能に支持し、前記側方部材内には、前記不使用状態の前記収容物の前方への回動を規制するストッパが設けられ、前記配線挿通部は、前記ストッパよりも前方に形成されていてもよい。
この構成によれば、側方部材の内部において、収容物と配線との干渉を確実に抑えることができる。
【手続補正２】
【補正対象書類名】特許請求の範囲
【補正対象項目名】全文
【補正方法】変更
【補正の内容】
【特許請求の範囲】
【請求項１】
上方を向く着座面を有する座部と、
前記座部における幅方向の側方に設けられた箱型の側方部材と、
使用面を幅方向の側方に向けた状態で前記側方部材の内部に収容される板状の収容物と、
前記側方部材の内部において、前記収容物の上方、かつ前方に設けられるとともに、前記収容物が前記側方部材の内部に収容された不使用状態、及び前記収容物が前記側方部材の上方に突出した使用状態の間を、前記使用面に沿った面内で前記収容物を上下動可能に支持する収容物支持部と、
前記側方部材の内部において、前記収容物支持部よりも下方、かつ前記不使用状態の前記収容物よりも前方に設けられた配線接続部材と、を備え、
前記側方部材の内部において、前記収容物支持部の下方、かつ前記不使用状態の前記収容物よりも前方には、前記配線接続部材に接続される配線が挿通される配線挿通部が形成されている、
椅子。
【請求項２】
前記収容物支持部は、前記収容物を幅方向に沿う軸線周りに回動可能に支持し、
前記側方部材内には、前記不使用状態の前記収容物の前方への回動を規制するストッパが設けられ、
前記配線挿通部は、前記ストッパよりも前方に形成されている、請求項１に記載の椅子。
【請求項３】
前記配線接続部材は、前記側方部材の前面に露出するプラグ接続部を有している、請求項１または請求項２に記載の椅子。
【請求項４】
前記側方部材の前面は、前記座部の前端部よりも後方に配置されている、請求項３に記載の椅子。